(57)【要約】【課題】操作権限を有する者のみが操作可能というセキュリティを維持しつつ、操作権限を有していない者から当該権限を有する者への操作権限切替認証を迅速に行なえ、当該制限操作を行うこと。【解決手段】情報端末における液晶ディスプレイに表示され、操作権限を有する操作者のみが操作可能な制限付入力ボタンに対して操作権限を有していない操作者からの入力を受付けた場合に、操作権限を有する操作者による認証を行う認証部６０と、操作権限を有する操作者の認証が成功した場合、制限付入力ボタンの操作制限を一時的に解除する制限解除部４０と、を備えることを特徴とする。【選択図】図３
2010211631.tif 000002
【特許請求の範囲】
【請求項１】
情報を入出力する装置における表示部に表示され、操作権限を有する操作者のみが操作可能な制限付入力ボタンに対して操作権限を有していない操作者からの入力を受付けた場合に、前記操作権限を有する操作者による認証を行う認証手段と、
操作権限を有する操作者の認証が成功した場合、前記制限付入力ボタンの操作制限を一時的に解除する制限解除手段と、
を備えることを特徴とする情報処理装置。
【請求項２】
前記制限解除手段は、操作制限が一時的に解除された操作に対する処理が終了した場合、前記制限付入力ボタンに対して再度操作制限を付与することを特徴とする請求項１に記載の情報処理装置。
【請求項３】
前記認証手段は、前記操作権限を有する操作者を示す操作者情報とともに、前記操作権限を有する操作者による認証を受付ける認証画面を前記表示部に表示することを特徴とする請求項２に記載の情報処理装置。
【請求項４】
前記操作制限を有していない操作者がログインしている場合、前記制限付入力ボタンを、いずれの操作者も操作可能な入力ボタンと視覚的に区別可能な態様で前記表示部に表示する操作表示部をさらに備えることを特徴とする請求項３に記載の情報処理装置。
【発明の詳細な説明】
【技術分野】
【０００１】
本発明は、操作制限が付された処理に対して、その操作制限を解除する情報処理装置に関する。
【背景技術】
【０００２】
従来から、商品の販売を行う店舗に設置されている情報処理装置として、例えばお客様から注文を受けた商品の会計処理等を行う電子式金銭登録機のような会計処理装置がある。このような装置においては、既に注文を受けた商品を取り消したり、商品の値引きなどの取消処理系・マイナス処理系の操作には制限を付しておき、例えば店長などの予め定めた操作権限を有する者のみがそれらの操作を可能にすることで、他の操作者による不正を防止することが所望されている。
【０００３】
そこで、電子式金銭登録機は、売上げに関わる情報の変更などを伴う処理を行う際に、予め設定記憶されている暗証コードと、操作者が入力する暗証コードとが一致するか否かを判断し、一致（認証）した場合に上記処理を行う（例えば、特許文献１参照）。このような特許文献１の電子式金銭登録機などの従来装置では、操作者が取消処理系・マイナス処理系の操作に対する権限を有しているか否かの判断を行い、権限を有していない場合は操作エラーとして処理していた。そして、権限を有していない操作者が一旦ログアウトし、権限を有する操作者がログインし直して認証を受け、取消処理系・マイナス処理系の操作を行っていた。
【発明の概要】
【発明が解決しようとする課題】
【０００４】
しかしながら、お客様によるクレーム等に応じて、注文商品の取消などの取消処理系・マイナス処理系の操作を迅速に行わなければならない場合、当該処理の権限を有していない操作者が一旦ログアウトし、当該権限を有する操作者がログインし直してから注文商品の取消などの処理を行っていると、迅速な対応が必要であるにもかかわらず、多くの時間を費やさなければならない。一方、処理制限を設けないで、誰でも操作を行えるようにしてしまうと、セキュリティレベルが低下し、悪意のある操作者による不正へと繋がってしまう。
【０００５】
本発明は、上記に鑑みてなされたものであって、操作権限を有する者のみが操作可能というセキュリティを維持しつつ、操作権限を有していない者から当該権限を有する者への操作権限切替認証を迅速に行なえ、当該制限操作を行うことができる情報処理装置を得ることを目的とする。
【課題を解決するための手段】
【０００６】
上述した課題を解決し、目的を達成するために、本発明は、情報を入出力する装置における表示部に表示され、操作権限を有する操作者のみが操作可能な制限付入力ボタンに対して操作権限を有していない操作者からの入力を受付けた場合に、前記操作権限を有する操作者による認証を行う認証手段と、操作権限を有する操作者の認証が成功した場合、前記制限付入力ボタンの操作制限を一時的に解除する制限解除手段と、を備えることを特徴とする情報処理装置である。
【発明の効果】
【０００７】
本発明にかかる情報処理装置は、操作権限を有する者のみが操作可能というセキュリティを維持しつつ、迅速に当該制限操作を行うことができるという効果を奏する。
【図面の簡単な説明】
【０００８】
【図１】情報端末の電気的接続を示すブロック図である。
【図２】権限ファイルのファイル構造の一例を示す模式図である。
【図３】情報端末の構成を示すブロック図である。
【図４】操作画面の一例を示す模式図である。
【図５】認証画面の一例を示す模式図である。
【図６】情報端末による制限解除処理の流れを示すフローチャートである。
【発明を実施するための形態】
【０００９】
以下に添付図面を参照して、この発明にかかる情報処理装置の最良な実施の形態を詳細に説明する。
【００１０】
本実施の形態は、お客様から受付けた注文に対する会計業務を行う会計装置を情報処理装置とした例である。本実施の形態にかかる情報処理装置である情報端末は、メニューオーダーについての注文情報の入力が可能であり、注文情報に応じた内容の伝票を印字発行する。印字発行する伝票は、注文されたメニュー品目をキッチンの調理人に指示するための調理指示伝票である。また、情報端末は、ＰＯＳ（Point Of Sales）端末としても機能し、会計処理を実行する。
【００１１】
図１は、本実施の形態にかかる情報端末の電気的接続を示すブロック図である。図１に示すように、情報端末１０２（会計装置）には、マイクロコンピュータ２０１が備えられており、このマイクロコンピュータ２０１が各部を駆動制御する。マイクロコンピュータ２０１は、各部を集中的に制御するＣＰＵ（Central  Processing  Unit）２０２に、バスライン２０３を介して制御プログラム等の固定的情報を予め記憶するＲＯＭ（Read  Only  Member）２０４と、各種情報を書き換え自在に記憶してワークエリア等として機能するＲＡＭ（Random  Access  Memory）２０５とが接続されて構成されている。したがって、マイクロコンピュータ２０１は、情報処理を実行する情報処理部を構成する。
【００１２】
マイクロコンピュータ２０１には、バスライン２０３を介して、タッチパネルコントローラ２０６、表示コントローラ２０７、ＨＤＤ（Hard  Disk  Drive）２０８、インターフェース（Ｉ／Ｆ）２０９、および通信インターフェース２１０が接続されている。
【００１３】
タッチパネルコントローラ２０６は、タッチパネル１１０からの入力信号をマイクロコンピュータ２０１に取り込む。表示コントローラ２０７は、画像データに基づいて液晶ディスプレイ１０９を駆動制御し、画像データに応じた画像を液晶ディスプレイ（Liquid  Crystal  Display）１０９に表示させる。インターフェース２０９は、キーボード、マウス、プリンタや客面表示装置をマイクロコンピュータ２０１に接続させるためのインターフェースであり、前述したように、ＵＳＢ等によって構成されている。通信インターフェース２１０は、マイクロコンピュータ２０１をＬＡＮ（Local  Area  Network）経由で他の機器とデータ通信可能にするためのインターフェースである。
【００１４】
ＨＤＤ２０８には、ＯＳ(Operating  System)、コンピュータアプリケーションプログラム（ＡＰＰＬＩ）、各種ファイル等が格納されている。これらのＯＳ、ＡＰＰＬＩ、各種ファイル等は、情報端末１０２の起動時にその全部又は一部がＲＡＭ２０５にコピーされてＣＰＵ２０２にアクセスされる。ＣＰＵ２０２は、こうしてコピーされたＯＳ及びＡＰＰＬＩに従った処理を実行する。
【００１５】
ＨＤＤ２０８は、各種操作ごとに、操作者と取消処理系・マイナス処理系の操作の操作権限の有無とを対応付けた権限ファイルを記憶している。図２は、権限ファイルのファイル構造の一例を示す模式図である。図２に示すように、権限ファイルでは、一つの操作ごとに、パスワードと、操作者と、操作権限の有無と、画像とを対応付けて登録している。図２の権限ファイルでは、一例として、「会計中止」の操作に対しての情報を登録しており、例えば、店長は、パスワードが「０００１」で、会計中止の操作権限を有しているが、大崎はな子さんは、パスワードが「０００３」で、会計中止の操作権限を有していないことがわかる。なお、ＨＤＤ２０８は、会計中止の操作だけでなく、他の取消処理系・マイナス処理系の操作に対しても同様に権限ファイルを記憶しているものとする。
【００１６】
次いで、情報端末１０２のＨＤＤ２０８にインストールされたＯＳおよびＡＰＰＬＩによりマイクロコンピュータ２０１が実行する処理のうち、本実施の形態の情報端末１０２が有している特徴的な処理について説明する。図３は、本実施の形態にかかる情報端末の構成を示すブロック図である。
【００１７】
本実施の形態にかかる情報端末１０２で実行されるＡＰＰＬＩは、操作表示部７０、認証部６０（入力受付部１０、表示制御部２０、および認証処理部３０を含む）、制限解除部４０、処理制御部５０を含むモジュール構成となっている。これらの各モジュールは、マイクロコンピュータ２０１のＣＰＵ２０２によってＨＤＤ２０８から適宜読み出されて、ＲＡＭ２０５上にロードされ、実行されることで、操作表示部７０、認証部６０（入力受付部１０、表示制御部２０、および認証処理部３０を含む）、制限解除部４０、処理制御部５０の各機能を情報端末１０２に果たさせる。
【００１８】
本実施の形態にかかる情報端末１０２は、既にログインしている操作者の操作画面で、該操作者が操作できない制限付きの入力ボタンにはその旨を知らせるアイコンを表示する。そして、制限付きの入力ボタンをタッチすると表示される認証画面にパスワードを入力すると、一時的に操作の権限を解除して取消処理系・マイナス処理系の操作を行うことができる。
【００１９】
操作表示部７０は、情報端末１０２を操作する操作者がログインするログイン画面を液晶ディスプレイ１０９に表示し、操作者からのログインを受付ける。また、操作表示部７０は、操作者からのログインを受付けた場合、いずれの操作者も操作可能な操作を示す入力ボタンと、制限付入力ボタンとを設けた操作画面を液晶ディスプレイ１０９に表示する。
【００２０】
ここで、制限付入力ボタンとは、操作権限を有する操作者のみが操作可能な取消処理系・マイナス処理系の入力ボタンであって、当該操作権限を有する操作者のログインした操作画面等から操作が可能となっている。また、制限付入力ボタン以外の入力ボタンは、いずれの操作者も操作可能な入力ボタンである。この操作画面には、いずれの操作者も操作可能な入力ボタンと視覚的に区別可能な態様で制限付入力ボタンが設けられている。また、操作表示部７０は、操作画面から、制限付入力ボタン等を含む各種入力ボタンの入力を受付ける。
【００２１】
図４は、操作画面の一例を示す模式図である。図４に示すように、操作画面Ｄには、会計関連操作Ｄ１１、会計方法Ｄ１２、カードの種類Ｄ１３、テンキーＤ１４、ログイン操作者Ｄ１５などが表示されている。
【００２２】
会計関連操作Ｄ１１には、会計を一旦保留する「会計保留」ボタン、会計を中止する「会計中止」ボタンＤ１１ａ、複数のお客様の会計を個別に割り勘にする「個別割勘」ボタン、複数のお客様の会計を均等に割り勘にする「均等割勘」ボタン、電卓画面に切り替わる「電卓」ボタンが、タッチパネル１１０によるタッチ指定が可能なオブジェクトとして表示されている。
【００２３】
ここで、「会計中止」ボタンＤ１１ａには、三角形の中に感嘆符（エクスクラメーションマーク）が表記されたマークＭが表示されている。このマークＭが表示された入力ボタンは、現在ログインしている操作者には操作が行えず、操作権限を有する操作者のみが操作可能な制限付入力ボタンである旨を示している。つまり、ログインしている大崎はな子さんは、会計中止の操作権限を有していないことが認識できる。
【００２４】
会計方法Ｄ１２には、会計の方法を示すボタンが表示されており、具体的には、例えばクレジット会計を行う旨を示す「クレジット」ボタン、電子マネーによりお会計を行う旨を示す「電子マネー」ボタンなどが、タッチパネル１１０によるタッチ指定が可能なオブジェクトとして表示されている。
【００２５】
カードの種類Ｄ１３には、お客様がカードにより支払いを行う場合に利用するカードの種類を示すボタンが、タッチパネル１１０によるタッチ指定が可能なオブジェクトとして表示されている。
【００２６】
テンキーＤ１４は、お客様から受け取った代金を打ち込み、会計を行うものであり、０〜９ボタン等が、タッチパネル１１０によるタッチ指定が可能なオブジェクトとして表示されている。
【００２７】
ログイン操作者Ｄ１５は、現在ログインしている操作者の名前と画像とが表示される。図４では、大崎はな子さんがログインしている状態で表示された操作画面（会計／支払操作画面）であることがわかる。
【００２８】
認証部６０は、操作制限を有する操作者による認証を行うもので、入力受付部１０と、表示制御部２０と、認証処理部３０を備えている。
【００２９】
入力受付部１０は、表示制御部２０により表示された認証画面（図５参照）から、操作者に固有のパスワード（操作者識別情報）の入力を受付ける。
【００３０】
表示制御部２０は、操作表示部７０によって表示された操作画面において、操作権限を有していない操作者から、制限付入力ボタンの入力を受付けた場合に、操作権限を有する操作者であるか否かの認証を行う認証画面を表示する。
【００３１】
例えば、図４における操作画面では、会計中止の操作権限を有していない大崎はな子さんから、マークＭの付された会計中止ボタンの入力を受付けた場合に認証画面を表示する。また、この認証画面には、制限付入力ボタンの示す操作に対して操作権限を有する操作者を示す操作者情報を表示する。
【００３２】
図５は、認証画面の一例を示す模式図である。認証画面Ｅには、入力を受付けた制限付入力ボタンの示す操作に対して操作権限を有する操作者の名前と画像（操作者情報）が表記された操作者情報ボタンＥ１１、Ｅ１２が表示されている。具体的に図５では、店長およびマネージャーが操作権限を有する操作者であることを示している。そして、認証画面Ｅには、パスワード入力フィールドＥ１３が表示され、入力を受付けた制限付入力ボタンの示す操作に対して操作権限を有する操作者が、自己の操作者情報ボタンをタッチした後、テンキーＥ１４によりパスワードを入力し、決定キーＥ１５により決定すると、認証処理部３０による認証が行われる。そして、この認証が成功した場合、操作の制限が一時的に解除されることになる。また、認証画面Ｅの右上部には、ログインしている操作者の名前と画像が表示されたログイン操作者情報Ｅ１６が表示されており、図５では、大崎はな子さんがログインしていることが示されている。
【００３３】
認証処理部３０は、認証画面から、操作権限を有する操作者によりパスワードが入力された場合、ＨＤＤ２０８に記憶されている権限ファイルを参照して、パスワードを入力した操作者が、入力を受付けた制限付入力ボタンの示す操作の操作権限を有する操作者か否かの認証を行うものである。
【００３４】
例えば、図２、４、５を参照すると、操作画面（図４）から、大崎はな子さんにより操作権限を有していない会計中止ボタンの入力が行われ、操作画面Ｅに重ねて認証画面Ｅ（図５）がポップアップ画面として表示された場合に、操作権限を有している店長が自己の操作者情報ボタンＥ１１をタッチして、フィールドＥ１３にパスワード「０００１」を入力する。この入力されたパスワード「０００１」と、権限ファイル（図２）の操作名「会計中止」を参照すると、店長のパスワードは「０００１」であるため本人である旨が認識され、かつ店長は操作権限があることにより認証は成功となる。
【００３５】
制限解除部４０は、認証処理部３０による認証が成功した場合、入力を受付けた制限付入力ボタンの示す操作の制限を一時的に解除するものである。また、制限解除部４０は、操作の制限が一時的に解除された操作に対する処理終了した場合、制限付入力ボタンに対して再度操作の制限を付与する。
【００３６】
処理制御部５０は、認証処理部３０による認証が成功したことによって、制限解除部４０により入力を受付けた制限付入力ボタンの示す操作の制限が一時的に解除された場合、当該操作に対する処理を行うものである。
【００３７】
このように、認証画面から、操作権限を有する操作者がパスワードを入力して操作の制限が一時的に解除された場合、当該操作権限を有する操作者は、入力を受付けた制限付入力ボタンの示す操作を行うことができるようになる。また、操作表示部７０は、操作の制限が一時的に解除された操作に対する処理が終了した場合、元の操作画面、すなわち操作の制限が一時的に解除される前の操作画面を、液晶ディスプレイ１０９に表示する。
【００３８】
次に、以上のように構成された情報端末１０２による制限解除処理について説明する。図６は、本実施の形態にかかる情報端末による制限解除処理の流れを示すフローチャートである。
【００３９】
まず、操作表示部７０は、ログイン画面から操作者によりログインを受付けたか否かの判断をし（ステップＳ１０）、受付けてない場合（ステップＳ１０：Ｎｏ）、ログインを受付けるまで待機する。一方、ログインを受付けた場合（ステップＳ１０：Ｙｅｓ）、操作表示部７０は、液晶ディスプレイ１０９に操作画面を表示する（ステップＳ１１）。そして、操作表示部７０は、ログインした操作者により、入力ボタンの入力を受付けたか否かを判断し（ステップＳ１２）、受付けていない場合（ステップＳ１２：Ｎｏ）、受付けるまで待機する。一方、入力ボタンの入力を受付けた場合（ステップＳ１２：Ｙｅｓ）、操作表示部７０は、入力を受付けた入力ボタンが制限付入力ボタンか否かの判断をする（ステップＳ１３）。制限付入力ボタンであると判断された場合（ステップＳ１３：Ｙｅｓ）、表示制御部２０は、認証画面を表示する（ステップＳ１４）。
【００４０】
そして、入力受付部１０は、認証画面からパスワードの入力を受付けたか否かの判断をし（ステップＳ１５）、受付けていない場合（ステップＳ１５：Ｎｏ）、受付けるまで待機する。一方、パスワードの入力を受付けた場合（ステップＳ１５：Ｙｅｓ）、認証処理部３０は、パスワードを入力した操作者が、入力を受付けた制限付入力ボタンの示す操作の操作権限を有する操作者か否かの判断を行う（ステップＳ１６）。操作権限を有する操作者でない場合（ステップＳ１６：Ｎｏ）、ステップＳ２０の処理へ進む。
【００４１】
一方、操作権限を有する操作者である場合（ステップＳ１６：Ｙｅｓ）、制限解除部４０は、入力を受付けた制限付入力ボタンの示す操作の制限を一時的に解除する（ステップＳ１７）。そして、操作権限を有する操作者の入力に従って、処理制御部５０は、入力を受付けた制限付入力ボタンの示す操作に対する処理を実行する（ステップＳ１８）。
【００４２】
操作表示部７０は、処理制御部５０による処理が終了したか否かの判断をし（ステップＳ１９）、処理が終了していない場合（ステップＳ１９：Ｎｏ）、ステップＳ１８に戻って処理を繰り返す。一方、処理が終了した場合（ステップＳ１９：Ｙｅｓ）、制限解除部４０が制限付入力ボタンに対して再度操作の制限を付与し、操作表示部７０は、元の操作画面、すなわち操作の制限が一時的に解除される前の操作画面を表示する（ステップＳ２０）。
【００４３】
ステップＳ１３において、入力を受付けた入力ボタンが制限付入力ボタンでないと判断された場合（ステップＳ１３：Ｎｏ）、操作者の入力に従って、処理制御部５０は、入力を受付けた入力ボタンの示す操作に対する処理を実行する（ステップＳ２１）。操作表示部７０は、処理制御部５０による処理が終了したか否かの判断をし（ステップＳ２２）、終了していない場合（ステップＳ２２：Ｎｏ）、ステップＳ２１に戻る。一方、処理が終了した場合（ステップＳ２２：Ｙｅｓ）、操作表示部７０は、操作画面を表示する（ステップＳ２３）。
【００４４】
このように、本実施の形態の情報端末１０２は、操作者がログインした操作画面において、該操作者が操作権限を有していない制限付入力ボタンをタッチすると、認証画面が表示されて、その認証画面に操作権限を有する操作者がパスワードを入力することで、操作の権限を一時的に解除して取消処理系・マイナス処理系の操作を行うことが可能となっている。
【００４５】
また、一時的に解除された操作に対する処理が終了した後には、元の操作画面を表示する。従って、お客様から注文したメニューの取消を求められた場合などに、取消処理系・マイナス処理系の操作権限を有していない操作者がログインした操作画面において、一時的にそれらの操作制限を解除できるため、操作権限を有する者のみが操作可能というセキュリティを維持しつつ、操作権限を有していない者から当該権限を有する者への操作権限切替認証を迅速に行なえ、当該制限操作を行うことができ、お客様をお待たせする時間が短縮できる。
【００４６】
また、本実施の形態の情報端末１０２は、既にログインしている操作者の操作画面で、該操作者が操作できない制限付入力ボタンを、操作可能な入力ボタンと視覚的に区別可能な態様で表示する。具体的には、例えば、操作不可を知らせるアイコンを制限付入力ボタンに表記する。これにより、制限付入力ボタンは、操作権限が付与されており、パスワードを入力してログインが必要なボタンである旨を操作者に認識させることができる。操作権限を有していない人には不要なファンクションボタンであるが、例えば注文済のメニューを取り消す行為は、オーダリングミスの状況で使用される。このため、お客様からのクレームがあった時点で迅速な対応が求められるため、権限を有していない操作者の操作画面にも制限付入力ボタンを表示することで、後の対応を迅速に行うことができる。
【００４７】
また、制限付入力ボタンをタッチしたときに表示される認証画面に、その制限付入力ボタンの示す操作に対して権限を有している操作者の情報（名前や画像等）を表示しておくことで、権限を有するのが誰かがすぐ分かり、該操作者は迷うことなく権限を有する者を呼びに行くことができ、迅速な対応が可能となる。また、操作画面にログインしている操作者の名前等を表示することで、現在ログインしている操作者を操作画面上で確認できるため、よりセキュリティを強化できる。
【００４８】
なお、操作者からのログインを受付けることにより、出勤した旨を受付ける出勤簿を兼ねた構成としてもよい。このように構成した場合、現在出勤している操作者（従業員や店長等）を把握することができる。従って、認証画面において、操作権限を有する操作者の操作者情報ボタンを表示する場合に、出勤していない操作者に関しては、操作権限を有していてもグレイアウトとして表示し、タッチできないようにすることができる。これにより、操作権限を有していない従業員等の操作者が、操作権限を有していても出勤していない操作者を即座に把握できるため、制限付きの操作をより迅速に行うことができる。
【００４９】
また、本実施の形態では、操作画面における制限付入力ボタンに操作ができない旨を知らせるアイコン表記しているが、ボタンの色を変えて表示するなど、いずれの操作者も操作可能な入力ボタンと視覚的に区別可能な態様で表示されていればよい。また、パスワードを他人に知られるとセキュリティレベルが低下してしまうため、パスワード入力の認証技術と、他の認証技術、例えば指紋認証、ＩＤカードによる認証、静脈認証などとの併用することでセキュリティを強化できる。
【符号の説明】
【００５０】
１０  入力受付部
２０  表示制御部
３０  認証処理部
４０  制限解除部
５０  処理制御部
６０  認証部
７０  操作表示部
１０２  情報端末
１０９  液晶ディスプレイ
１１０  タッチパネル
２０１  マイクロコンピュータ
２０２  ＣＰＵ
２０３  バスライン
２０６  タッチパネルコントローラ
２０７  表示コントローラ
２０８  ＨＤＤ
２０９  インターフェース
２１０  通信インターフェース
【先行技術文献】
【特許文献】
【００５１】
【特許文献１】特開平９−４４７４９号公報
【図１】
2010211631.tif 000003
【図２】
2010211631.tif 000004
【図３】
2010211631.tif 000005
【図４】
2010211631.tif 000006
【図５】
2010211631.tif 000007
【図６】
2010211631.tif 000008